(57)【要約】【課題】ゴルフコンペに参加する人だけがメンバー名を入力でき、どのゴルフコンペで誰のリーダーズ・ボードを表示させているのかを確実に把握する。【解決手段】ゴルフコンペ支援システムは、端末装置１と通信手段３を介して接続され、端末装置１からの入力により、ゴルフコンペの名称と組数を含むコンペ作成情報を記憶手段１２に記憶させるゴルフコンペ作成情報登録手段１４と、記憶手段１２に記憶した前記組のそれぞれに対応する特定の組キーを、端末装置１に送信するキー通知手段１５と、端末装置１から特定の組キーを受信したときに、記憶手段１２にゴルフコンペに参加するメンバー名を記憶可能にするメンバー名登録手段１６と、端末装置１から特定の組キーを受信したときに、ゴルフコンペに参加する各メンバーのリーダーズ・ボードを、組キーを送信した端末装置１に表示させる端末表示制御手段１７と、を備えている。【選択図】図１
2015047377.tif 000002
【特許請求の範囲】
【請求項１】
複数の端末と通信手段を介して接続され、各種情報を記憶する記憶手段を備えたゴルフコンペ支援システムであって、
前記端末からの入力により、ゴルフコンペの名称と組数を含むコンペ作成情報を前記記憶手段に記憶させるコンペ作成情報登録手段と、
前記記憶手段に記憶した前記組のそれぞれに対応する特定の組キーを、前記端末に送信するキー通知手段と、
前記端末から前記特定の組キーを受信したときに、前記記憶手段に前記ゴルフコンペに参加するメンバー名を記憶可能にするメンバー名登録手段と、
前記端末から前記特定の組キーを受信したときに、前記ゴルフコンペに参加する各メンバーのリーダーズ・ボードを、前記特定の組キーを送信した前記端末に表示させる表示制御手段と、を備えたことを特徴とするゴルフコンペ支援システム。
【発明の詳細な説明】
【技術分野】
【０００１】
本発明は、ゴルフコンペの作成から参加までの手順を支援するゴルフコンペ支援システムに関する。
【背景技術】
【０００２】
この種のゴルフコンペ支援システムの従来例として、例えば特許文献１には、会員登録を行なった端末からシステムのホームページにアクセスして、ゴルフコンペに参加するメンバー名を予め組ごとに登録しておき、プレイ中に各ホールでの成績を端末から入力すると、同じゴルフコンペに参加している人が、どのホールをどのような成績で回っているのかを、リーダーズ・ボードとして一覧で表示させるものが提案されている。
【先行技術文献】
【特許文献】
【０００３】
【特許文献１】特開２０１２−６１２８２号公報
【発明の概要】
【発明が解決しようとする課題】
【０００４】
しかし、上記引用文献１で提案されたシステムでは、予め会員登録を行なった端末であれば、ゴルフコンペに参加する個々のメンバーの名前を、どの端末からも任意で入力することができる。しかしこれでは、実際にゴルフコンペに参加しない人であっても、メンバーの名前を簡単に書き換えることが可能になり、結果的にどのゴルフコンペで誰のリーダーズ・ボードを表示させているのか理解できなくなってしまう。
【０００５】
そこで、本発明は上記問題点に鑑み、ゴルフコンペに参加する人だけがメンバー名を入力でき、どのゴルフコンペで誰のリーダーズ・ボードを表示させているのかを確実に把握できるゴルフコンペ支援システムを提供することを主な目的とする。
【課題を解決するための手段】
【０００６】
請求項１のゴルフコンペ支援システムは、複数の端末と通信手段を介して接続され、各種情報を記憶する記憶手段を備えたゴルフコンペ支援システムであって、前記端末からの入力により、ゴルフコンペの名称と組数を含むコンペ作成情報を前記記憶手段に記憶させるゴルフコンペ作成情報登録手段と、前記作成情報の編集を可能にするコンペキーと、前記ゴルフコンペに参加するメンバー名の登録を可能にするために、前記記憶手段に記憶した前記組のそれぞれに対応する特定の組キーを、前記端末に送信するキー通知手段と、前記端末から前記組キーを受信したときに、前記記憶手段に前記ゴルフコンペに参加するメンバー名を記憶可能にするメンバー名登録手段と、前記端末から前記組キーを受信したときに、前記ゴルフコンペに参加する各メンバーのリーダーズ・ボードを、前記組キーを送信した前記端末に表示させる表示制御手段と、を備えたことを特徴とする。
【発明の効果】
【０００７】
請求項１の発明によれば、端末から特定の組キーを受信したときにのみ、その端末を利用してゴルフコンペに参加するメンバー名の登録を行なうことができ、またゴルフコンペに参加する各メンバーのリーダーズ・ボードを端末に表示させることができる。したがって、ゴルフコンペに参加する人だけがメンバー名を入力でき、どのゴルフコンペで誰のリーダーズ・ボードを表示させているのかを確実に把握できる
【図面の簡単な説明】
【０００８】
【図１】本発明の一実施形態におけるシステム構成のブロック図である。
【図２】同上、初期画面を示す表示部の平面図である。
【図３】同上、コンペ作成画面を示す表示部の平面図である。
【図４】同上、コンペ作成完了画面を示す表示部の平面図である。
【図５】同上、コンペ作成完了時に登録したアドレスに送信される電子メールの一例を示す図である。
【図６】同上、コースメニュー画面を示す表示部の平面図である。
【図７】同上、コンペ参加画面を示す表示部の平面図である。
【図８】同上、プレイヤー名編集画面を示す表示部の平面図である。
【図９】同上、ナビゲーション画面とスコア画面を示す表示部の平面図である。
【図１０】同上、リーダーズ・ボード画面を示す表示部の平面図である。
【発明を実施するための形態】
【０００９】
以下、本発明におけるゴルフコンペ支援システムの各実施形態について、添付図面を参照しながら説明する。
【００１０】
図１は、本実施形態におけるゴルフコンペ支援システムの全体構成を示したものである。同図において、本システムは、各ユーザが保有する端末装置１とインターネットなどの通信手段２により相互に接続されるサーバ３により構成される。図１では、一台の端末装置１だけを示しているが、ユーザが同時に複数存在する場合、同様の構成を有する複数台の端末装置１が通信手段２に接続される。
【００１１】
端末装置１は、通信手段２を介したサーバ３との無線通信機能と、操作キーによる入力機能と、表示機能とを備えたものであればよく、好ましくは携帯可能なスマートフォンの他に、パーソナルコンピュータ，携帯電話機，タブレット端末，腕時計，携帯型情報処理端末などで構成される。より具体的には、端末装置１は、無線通信機能を兼用する制御手段５の入力ポートに操作部６とを接続する一方で、制御手段５の出力ポートに表示部７を接続したハードウェア構成を有する。
【００１２】
端末装置１の表側には、表示部７となるＬＣＤユニットと、操作部６となる透明なタッチパネルとを重ね合わせた操作表示ユニットが配設される。勿論、操作部６と表示部７とを別な個所に配設した構成でもよい。
【００１３】
制御手段５は、例えばＣＰＵ（Central Processing Unit）などの制御装置であり、サーバ３にアクセスして予めダウンロードされ、図示しない記憶手段にゲーム用のアプリケーションとして記憶されたプログラムにより動作を制御されている。この制御手段５は、記憶手段からの当該プログラムを読み取ることで機能するソフトウェア構成を備えている。
【００１４】
一方、サーバ３は、制御手段１１と記憶手段１２とを備えたハードウェア構成を有する。制御手段１１はＣＰＵなどの制御装置であり、記憶手段１２に記憶されたプログラムを読み取ることで機能するソフトウェア構成として、ゴルフコンペ作成情報登録手段１４と、キー通知手段１５と、メンバー名登録手段１６と、端末表示制御手段１７と、をそれぞれ備えている。また、記憶手段１２には、制御手段４１の動作を制御する前述のプログラムの他に、本システムを利用するユーザの登録情報を記憶するユーザ登録情報記憶手段２１と、ゴルフコンペ作成情報登録手段１４やキー通知手段１５で作成されたコンペ作成情報を記憶するコンペ作成情報記憶手段２２と、コンペ作成情報に含まれる各組と関連付けて、ゴルフコンペに参加するメンバーの名前を記憶するメンバー名記憶手段２３と、各メンバーの端末装置１から送信されてくるプレイ結果を、ホール毎の成績としてメンバーの名前と関連付けてその都度記憶するプレイ結果記憶手段２４と、をそれぞれ備えている。制御手段１１を構成する各手段１４，１５，１６，１７は、端末装置１にインストールされたアプリケーション、すなわち制御手段５のソフトウェア構成と連携して動作することで、端末装置１とサーバ３との間で、通信手段２を介して様々な情報のやり取りを行なう構成となっている。
【００１５】
サーバ３側のゴルフコンペ作成情報登録手段１４は、端末装置１からの入力を受けて、ゴルフコンペの場所，開催日，名称，組数などを関連付けたコンペ作成情報をコンペ作成情報記憶手段２２に記憶させるものである。本実施例では、不特定多数の端末装置１からの入力による不必要なコンペ作成情報の生成を避けるために、ユーザ登録情報記憶手段２１に事前登録されたユーザの保有する端末装置１から、コンペ作成情報を生成するための入力があった場合にのみ、ゴルフコンペ作成情報登録手段１４がその入力を受け付ける構成となっている。
【００１６】
キー通知手段１５は、ゴルフコンペ作成情報登録手段１４がコンペ作成情報を作成して、コンペ作成情報記憶手段２２に記憶する毎に、予め登録した通知先である端末装置１に、個々のゴルフコンペにそれぞれ対応して独自に割り当てた特定のコンペキーと、コンペ作成情報に含まれる組のそれぞれに対応して独自に割り当てた特定の組キーとを、好ましくは電子メールで送信するものである。ここで、予め登録した通知先とは、ユーザ登録情報に含まれる送付先アドレスとしてユーザ登録情報記憶手段２１に記憶保持されている。また、これらのコンペキーや組キーは、対応する一つのコンペ作成情報に含めて、キー通知手段１５からコンペ作成情報記憶手段２１に記憶保持される。
【００１７】
メンバー名登録手段１６は、端末装置１から特定の組キーを受信したときに、その特定の組キーを含むコンペ作成情報の各組と関連付けて、ゴルフコンペに参加するメンバー名をメンバー名記憶手段２３に記憶可能にするものである。本実施例では、不特定多数の端末装置１からの入力によるメンバー名の記憶登録を避けるために、ユーザ登録情報記憶手段２１に事前登録されたユーザの保有する端末装置１から、特定の組キーを受信した場合にのみ、メンバー名登録手段１６がその端末装置１からのメンバー名の入力を受け付ける構成となっている。登録した各メンバーは、自身の保有する端末装置１からの入力操作によって、プレイ中に各自のスコアをプレイ結果としてサーバ３に送信する。これを受けて制御手段１１は、各メンバーの端末装置１から送信されてくるプレイ結果を、ホール毎の成績としてメンバーの名前と関連付けてプレイ結果記憶手段２４に記憶する。
【００１８】
端末表示制御手段１７は、端末装置１から特定の組キーを受信したときに、その特定の組キーを含むコンペ作成情報の各組と関連付けられた各メンバーのプレイ結果をプレイ結果記憶手段２４から読出し、当該各メンバーのリーダーズ・ボードを、特定の組キーを送信した端末装置１の表示部７に表示させるものである。本実施例では、不特定多数の端末装置１が任意に第三者のリーダーズ・ボードを閲覧するのを避けるために、ユーザ登録情報記憶手段２１に事前登録されたユーザの保有する端末装置１から、特定の組キーを受信した場合にのみ、端末表示制御手段１７がその特定の組キーに対応するゴルフコンペのメンバーに関係するリーダーズ・ボードを、当該端末装置１に表示させる構成となっている。
【００１９】
次に、上記構成における作用について、ゴルフコンペの作成から参加までの手順を、図２〜図１０の各図を参照しながら詳しく説明する。
【００２０】
先ず、ゴルフコンペの主催者となるスコア係によるコンペ作成の手順から説明する。図２は、端末装置１の表示部７に表示されるログイン後の初期画面である。この初期画面は、スコア係が保有する端末装置１からサーバ３の制御手段１１にアクセスし、表示部７に表示されるログイン画面（図示せず）を参照して、ユーザ登録情報記憶手段２１に事前登録されたユーザ固有の識別子（ログインＩＤやパスワードなど）を操作部６から入力することで、制御手段１１からの指示により表示される。同図において、ここでの初期画面は、ゴルフ場を検索する際にタップ操作されるゴルフ場検索ボタン２１と、新たなゴルフコンペを作成する際にタップ操作されるコンペ作成ボタン２２と、ログアウト状態に移行する際にタップ操作されるログアウトボタン２３と、を含んで構成される。
【００２１】
図２に示す初期画面の状態から、操作部６を利用してコンペ作成ボタン２２をタップ操作すると、ゴルフコンペ作成情報登録手段１４は図３に示すように、ゴルフコンペを作成するためのコンペ作成画面を、端末装置１の表示部７に表示させる。コンペ作成画面は、ゴルフコンペを実施するゴルフ場名を入力するためのゴルフ場名入力ボックス２５と、ゴルフコンペの開催日を入力するための開催日入力ボックス２６と、ゴルフコンペの名称を入力するためのコンペ名入力ボックス２７と、ゴルフコンペの参加組数を入力する組数入力ボックス２８と、コンペ作成情報の作成を指示する際にタップ操作される作成ボタン２９と、当該コンペ作成画面を閉じる際にタップ操作される閉ボタン３０と、を含んで構成される。
【００２２】
図３に示すコンペ作成画面で、操作部６を利用してゴルフ場名入力ボックス２５にゴルフ場名を入力し、開催日入力ボックス２６に開催日を入力し、コンペ名入力ボックス２７にコンペ名を入力し、組数入力ボックス２８に参加の組数を入力した後に、作成ボタン２９をタップ操作すると、これらの入力情報が端末装置１からサーバ３のゴルフコンペ作成情報登録手段１４に送信される。これを受けてゴルフコンペ作成情報登録手段１４は、コンペ作成情報記憶手段２２に記憶するコンペ作成情報を読み出し、端末装置１からの入力情報でゴルフコンペを開催できるか否かを判断する。
【００２３】
ゴルフコンペ作成情報登録手段１４が、端末装置１からの入力情報でゴルフコンペを開催できると判断すると、キー通知手段１５は特定のコンペキーと組キーをそれぞれ作成して、これらを図４に示すように、当該端末装置１の表示部７にコンペ作成完了画面として表示させる。コンペ作成完了画面は、新たに作成されたゴルフコンペに固有のコンペキーを表示するコンペキー表示部３２と、組数入力ボックス２８で入力した組数に応じて、各組毎に固有の組キーを表示する組キー表示部３３と、当該コンペ作成完了画面を閉じる際にタップ操作される閉ボタン３４と、を含んで構成される。
【００２４】
またキー通知手段１５は、端末装置１からの入力情報に含まれるゴルフ場名と、開催日と、コンペ名の他に、キー通知手段１５で作成されたコンペキーや組キーを含む電子メールを、ユーザ登録情報記憶手段２１に記憶保持するユーザ登録情報に含まれる送付先アドレスに送信する。図５は、送付先である端末装置１の表示部７に表示された電子メール画面である。
【００２５】
コンペキーは、コンペ作成情報記憶手段２２に記憶されたコンペ作成情報を編集する際に使用するもので、必要に応じて端末装置１の操作部６からコンペキーを入力することで、既にゴルフコンペ作成情報登録手段１４で登録されたコンペ作成情報の編集が可能となる。したがって、このコンペキーは通常、ゴルフコンペを主催するスコア係だけが知っていればよい。
【００２６】
一方、組キーはゴルフコンペに参加するメンバーとなるプレイヤーが、メンバー名記憶手段２３に同じ組のプレイヤーの名前を登録する際に使用するもので、少なくとも各組でプレイするプレイヤーの一人に、その組に対応した特定の組キーを通知する必要がある。そこで、図５に示す電子メールでは、組キーを参加者であるプレイヤーに正しく通知する旨の記載がなされている。
【００２７】
次に、特定の組キーが通知されたプレイヤーのコンペ参加への手順について説明する。前述した図２に示す初期画面の状態から、プレイヤーが自身の保有する端末装置１の操作部６を利用して、ゴルフ場検索ボタン２１をタップ操作する。プレイヤーは、端末装置１の表示部７に表示される図示しないコース選択画面で、操作部６を利用してゴルフコンペに参加するゴルフ場名を選択すると、図６に示すコースメニュー画面が端末装置１の表示部７に表示される。コースメニュー画面は、選択したゴルフ場名を表示するゴルフ場名表示部４１と、端末装置１側に記憶されるゴルフ場のデータを更新する際にタップ操作されるデータ更新ボタン４２と、ゴルフ場のコース景観をプレビューする際にタップ操作されるプレビューボタン４３と、ゴルフ場名表示部４１に表示されるゴルフ場で、特定のゴルフコンペに参加する際にチェック入力されるコンペ参加チェックボックス４４と、ゴルフ場名表示部４１に表示されるゴルフ場で、端末装置１によるナビゲーション機能を開始させる際にタップ操作されるナビスタートボタン４５と、を含んで構成される。
【００２８】
図６に示すコースメニュー画面で、操作部６を利用してコンペ参加チェックボックス４４をチェック入力し、引き続きナビスタートボタン４５をタップ操作すると、プレイヤーの保有する端末装置１の表示部７には、図７に示すコンペ参加画面が表示される。コンペ参加画面は、ゴルフコンペの参加方法を表示部７に表示させる際にタップ操作される参加方法表示ボタン４６と、プレイヤーが入手した前述の組キーを、パーティー番号として入力するための組キー入力部４７と、ゴルフコンペへの参加を指示する際にタップ操作される参加指示ボックス４８と、を含んで構成される。
【００２９】
図７に示すコンペ参加画面で、操作部６を利用して組キー入力部４７に特定の組キーを入力し、引き続き参加指示ボックス４８をタップ操作すると、プレイヤーの保有する端末装置１の表示部７には、図８に示すプレイヤー名編集画面が表示される。プレイヤー名編集画面は、組キー入力部４７で入力した特定の組キーに対応する組の参加プレイヤーを個別に入力するためのプレイヤー名入力部５１Ａ〜５１Ｄと、それぞれのプレイヤー名入力部５１Ａ〜５１Ｄに対応して、実際にプレイヤーが存在するか否かを通知するための参加チェックボックス５２Ａ〜５２Ｄと、プレイヤー名入力部５１Ａ〜５１Ｄに修正入力したプレイヤー名を元の状態に戻す際にタップ操作されるプレイヤー名戻しボックス５３と、メンバー名記憶手段２３に記憶するプレイヤー名を変更することなく、プレイヤー名の編集を終了する際にタップ操作される未変更ボックス５４と、メンバー名記憶手段２３に記憶するプレイヤー名を、プレイヤー名入力部５１Ａ〜５１Ｄに入力されたプレイヤー名に変更して、プレイヤー名の編集を終了する際にタップ操作される変更ボックス５５と、を含んで構成される。
【００３０】
図８に示すプレイヤー名編集画面では、組キーを入力したプレイヤーの端末装置１を利用して、同じ組で参加する各プレイヤーの名前をプレイヤー名入力部５１Ａ〜５１Ｄにそれぞれ入力することができ、その後で変更ボックス５５をタップ操作すれば、プレイヤー名入力部５１Ａ〜５１Ｄに入力したプレイヤーの名前が、端末装置１で入力した特定の組キーを含むコンペ作成情報の組と関連付けて、メンバー名記憶手段２３に記憶登録される。以後、組キーを入力して図８に示すプレイヤー名編集画面を表示させると、メンバー名記憶手段２３に記憶されたプレイヤーの名前が読み出されて、その名前がプレイヤー名入力部５１Ａ〜５１Ｄに表示されるようになり、操作部６によりプレイヤー名を適宜修正した後で、変更ボックス５５をタップ操作すれば、メンバー名記憶手段２３にプレイヤー名を変更登録することが可能になる。
【００３１】
また、本実施例における参加チェックボックス５２Ａ〜５２Ｄは、プレイヤー名入力部５１Ａ〜５１Ｄに入力した各プレイヤーが、実際にプレイに参加しているか否かを示す存在情報を通知するもので、実際に参加していないプレイヤーはチェックを外すことで、例えば後述するリーダーズ・ボードに成績を表示させないようにすることができる。このプレイヤーの存在情報は、プレイヤーの名前と関連付けて、メンバー名記憶手段２３に記憶登録される。
【００３２】
図９は、図６に示すコースメニュー画面で、操作部６を利用してコンペ参加チェックボックス４４をチェック入力せずに、ナビスタートボタン４５をタップ操作したときに、端末装置１の表示部７に表示されるナビゲーション画面（図中左側）と、そのナビゲーション画面で、スコア表示リスト６０をタップ操作したときに、端末装置１の表示部７に表示されるスコア画面（図中右側）を示している。スコア画面は、前述の組キーを入手したプレイヤーだけが閲覧することができ、その組に参加するプレイヤーの名前を表示する名前表示部６２と、ホール毎にスコアを入力するためのスコア入力部６３などを含んで構成される。ゴルフコンペに参加するプレイヤーは、端末装置の操作部６を利用して、スコア入力部６３に同じ組で参加するプレイヤーのプレイ結果をスコア入力することができ、端末装置１からプレイ結果を入力する毎に、そのプレイ結果がプレイ結果記憶手段２４にリアルタイムで記憶登録される。
【００３３】
図１０は、図９で示したナビゲーション画面でリーダーズ・ボード表示リスト６０をタップ操作したときに、端末表示制御手段１７によって端末装置１の表示部７に表示されるリーダーズ・ボード画面を示している。このリーダーズ・ボード画面は、メンバー名記憶手段２３に記憶登録されるプレイヤーの名前とプレイヤーの存在情報から、同じゴルフコンペでプレイに実際に参加しているプレイヤーのプレイ結果をプレイ結果記憶手段２４から読み出し、これをスコアの良い順から、順位と、プレイヤーの名前と、スコアと、終了したホールの番号を一行に並べて表示するリーダーズ・ボード表示部７１を含んで構成される。図１０に示すリーダーズ・ボード画面は、前述の組キーを入手したプレイヤーだけが閲覧することができ、その組に参加するプレイヤーだけでなく、同じゴルフコンペに参加している他の組のプレイヤーについても、リーダーズ・ボード表示部７１でスコア結果を確認することができる。
【００３４】
以上のように、本実施例におけるゴルフコンペ支援システムは、複数の端末である端末装置１と通信手段３を介して接続され、各種の情報を記憶する記憶手段１２を備えたゴルフコンペ支援システムであって、端末装置１からの入力により、少なくともゴルフコンペの名称と組数を含むコンペ作成情報を記憶手段１２のコンペ作成情報記憶手段２２に記憶させるゴルフコンペ作成情報登録手段１４と、コンペ作成情報の編集を可能にするコンペキーと、ゴルフコンペに参加するメンバー名の登録を可能にするために、コンペ作成情報記憶手段２２に記憶した前記組のそれぞれに対応する特定の組キーを、予め登録した端末装置１に送信するキー通知手段１５と、端末装置１から特定の組キーを受信したときに、前記記憶手段１２のメンバー名記憶手段２３にゴルフコンペに参加するメンバー名を記憶可能にするメンバー名登録手段１６と、端末装置１から特定の組キーを受信したときに、ゴルフコンペに参加する各メンバーのリーダーズ・ボードを、組キーを送信した端末装置１に表示させる表示制御手段としての端末表示制御手段１７と、を備えている。
【００３５】
この場合、端末装置１から特定の組キーを受信したときにのみ、その端末装置１を利用してゴルフコンペに参加するメンバー名の登録を行なうことができ、またゴルフコンペに参加する各メンバーのリーダーズ・ボードを端末装置１に表示させることができる。したがって、ゴルフコンペに参加する人だけがメンバー名を入力でき、どのゴルフコンペで誰のリーダーズ・ボードを表示させているのかを確実に把握できる。
【００３６】
以上、本発明の一実施形態について説明したが、当該実施形態はあくまでも例として提示したに過ぎず、発明の範囲を限定することを意図していない。ここに提示したれ実施形態は、その他の様々な形態で実施可能であり、発明の要旨を逸脱しない範囲で、種々の省略、置換、変更が可能である。例えば、図２〜図１０に示す図はあくまでも一例に過ぎず、ユーザの使い勝手などを考慮して適宜修正や変更を加えても構わない。
【符号の説明】
【００３７】
１  端末装置（端末）
２  通信手段
１２  記憶手段
１４  コンペ作成情報登録手段
１５  キー通知手段
１６  メンバー名登録手段
１７  端末表示制御手段（表示制御手段）
【図１】
2015047377.tif 000003
【図２】
2015047377.tif 000004
【図３】
2015047377.tif 000005
【図４】
2015047377.tif 000006
【図５】
2015047377.tif 000007
【図６】
2015047377.tif 000008
【図７】
2015047377.tif 000009
【図８】
2015047377.tif 000010
【図９】
2015047377.tif 000011
【図１０】
2015047377.tif 000012